(57)【要約】【課題】本発明の目的は、エアを供給可能な通風路５０を有する布団９において、通風路５０から逆流するエアに含まれる繊維屑が布団外部に放出されることを防止する布団９を提供することである。【解決手段】本発明は、外部から布団内部に温風、常温風又は冷風のいずれか１種のエアを供給する通風口と、前記エアを前記布団内部に流通する通風路５０とを有する布団９であり、前記通風口には、前記エアを通風させるフィルタ部１０と、前記布団９から突出して外部のエア供給装置と連結する取付部２と、前記フィルタ部１０と前記取付部２の中間に前記取付部２を収容可能な空間部を有する胴部８とからなる通風口部材１が配置され、前記フィルタ部１０は、前記エアを前記通風路５０へ通風でき、且つ、前記通風路５０から繊維屑を外部へ逆流することを遮断する布団９である。【選択図】図３
2013244274.tif 000002
【特許請求の範囲】
【請求項１】
外部から布団内部に温風、常温風又は冷風のいずれか１種のエアを供給する通風口と、前記エアを前記布団内部に流通する通風路とを有する布団であり、前記通風口には、前記エアを通風させるフィルタ部と、前記布団から突出して外部のエア供給装置と連結する取付部と、前記フィルタ部と前記取付部の中間に前記取付部を収容可能な空間部を有する胴部とからなる通風口部材が配置され、前記フィルタ部は、前記エアを前記通風路へ通風でき、且つ、前記通風路から繊維屑を外部へ逆流することを遮断することを特徴とする布団。
【請求項２】
前記布団が掛け布団又は敷布団からなる請求項１に記載の布団。
【請求項３】
前記フィルタ部は、網目材、多孔質材、不織布及び織物の１つ以上の材料がフィルタとして設けられる請求項１又は２に記載の布団。
【請求項４】
前記取付部が前記胴部と連通し、前記胴部の取付部側周縁には、前記通気口に取付けられる開口周縁部が設けられ、前記開口周縁部は、その開口から前記取付部が出没自在に配置される請求項１、２又は３に記載の布団。
【請求項５】
前記フィルタ部は、フィルタが袋状に形成されたフィルタ状袋部からなり、前記フィルタ状袋部が前記胴部と連通する、又は、フィルタが筒状の送風路に配置されたフィルタ付筒状部材からなり、前記フィルタ付筒状部材が前記胴部と連通する請求項１〜４のいずれかに記載の布団。
【請求項６】
前記取付部は、開口面積が変化する挿入口を有し、前記挿入口に前記エア供給装置の送風管が挿入される請求項１〜５のいずれかに記載の布団。
【請求項７】
前記挿入口は、伸縮自在の伸縮口からなる、又は、開閉部材により前記開口面積を変化させる開閉自在口からなる請求項６に記載の布団。
【請求項８】
前記伸縮口は、終端に向かって拡径するスカート部の始端が接続されて前記取付部を構成し、前記スカート部の終端が前記胴部に接続される請求項７に記載の布団。
【請求項９】
前記エアの通風路が設けられる通風層と、外生地層及び保温材層から少なくとも構成され、層構造を有する請求項１〜８のいずれかに記載の布団。
【請求項１０】
前記外生地層が外生地と保温層又はクッション層からなる請求項９に記載の布団。
【請求項１１】
前記保温材層が保温材を充填した布団本体からなり、前記通風層が通気性を有する中生地を介して前記布団本体の表面側又は裏面側に取付けられる請求項９又は１０に記載の布団。
【請求項１２】
前記胴部の一部又は全部がフィルタから形成される請求項１〜１１のいずれかに記載の布団。
【請求項１３】
前記通風口が２個以上設けられ、各々の前記通風口に前記通風口部材が取付けられる請求項１〜１２のいずれかに記載の布団。
【請求項１４】
前記布団に布団カバーが取付けられ、前記布団カバーのカバー開閉口を開口したとき、少なくとも１つの前記通風口は、前記カバー開閉口から露出して前記取出部を前記通風口部材から突出可能に配置される請求項１〜１３のいずれかに記載の布団。
【発明の詳細な説明】
【技術分野】
【０００１】
本発明は、外部から布団内部にエアを供給する通風口と、前記エアを前記布団内部に流通する通風路とを有する布団に関し、更に詳細には、前記通風口から布団内部に温風、常温風又は冷風のいずれか１種のエアを供給し、乾燥や加温等を行うことができる布団に関する。尚、この明細書では、装置から布団に供給される気体を「エア」と称する。
【背景技術】
【０００２】
布団乾燥装置によって布団を乾燥・加温する場合、エア供給用の袋体を敷布団と掛け布団の間に挿入し、前記袋体の内部に温風、常温風又は冷風等からなるエアを供給して布団を乾燥・加温していた。しかしながら、袋体を用いた場合、袋体の挿入作業が必要となり、更に、袋体から布団に熱を伝えるため、熱効率が良くなかった。これらの課題を解決するため、特開平６−１１３９４２号公報（特許文献１）及び特開平７−１７１０４１号公報（特許文献２）では、従来の布団に対して外生地（「通風布」とも称される）を接合し、布団と外生地の間にエアを流通させる通風路を設けた布団が記載されている。
【０００３】
図１２は、引用文献１、２に記載される従来のエア流通用通風路が設けられた布団の構成概略図である。（１２Ａ）は、引用文献１に記載される従来の温風布団１０１の断面図である。温風布団１０１は、表生地１０２と裏生地１０３の間に中生地１０４が縫合され、この中生地１０４と裏生地１０３の間にエアを流通する通風路１１５が設けられている。表生地１０２と中生地１０４の間には、保温材が充填されている。温風布団１０１の線ファスナ１１９を開口し、温冷送風器１２４の送風口１２５を挿入してエアが供給される。図中の矢印は、エアの流通方向を示している。（１２Ａ）の温風布団１０１は掛け布団であり、裏生地１０３と床１０５の間に空間が形成され、矢印で示されるように、エアが中生地１０４と裏生地１０３を通気する。よって、前記袋体を用いずに、直接、温冷送風器１２４からのエアを供給し、前記中生地１０４を通気したエアによって、温風布団１０１の乾燥・加温等を行う。
【０００４】
図１２の（１２Ｂ）は、特許文献２に記載される従来のエア流通用通風路が設けられた布団の通風路概略図である。上述の特許文献１と同様に、特許文献２に記載される布団は、その裏布に通風布２０３が縫着され、通風路２０４が形成されている。温冷送風器２１０から送風口２０７を介して足部送風溜２４１に導入された温風からなるエアが、側部通風路２３４を流通して中間通風路２４４に供給され、更に流通して中央部にある中央送風溜２４５に達する。即ち、通風路２０４は、側部通風路２３４、中間通風路２４４及び中央送風溜２４５から構成され、通風路２０４を流通するエアは、（１２Ａ）の布団と同様に、保温材が充填された布団本体（図示せず）に通気され、布団の乾燥・加温等を行う。
【先行技術文献】
【特許文献】
【０００５】
【特許文献１】特開平６−１１３９４２号公報
【特許文献２】特開平７−１７１０４１号公報
【発明の概要】
【発明が解決しようとする課題】
【０００６】
図１２の（１２Ａ）に示した特許文献１に記載される従来の布団では、送風口１２５から通風路１１５に温風からなるエアが供給され、エアが所定の圧力に到達して通風路１１５が膨張状態となり、裏生地１０３や中生地１０４から通気する。例えば、特許文献２の段落［００３４］には、同様の構造を有する布団において、温冷風送風器１２４からエアが送風されたとき、その圧力によって通風路１１５が膨張することが記載されている。即ち、（１２Ａ）に示すような通風路１１５を有する従来の布団では、通風路１１５の圧力が上昇する。よって、エアが送付口１２５の方向に逆流し、この逆流するエアに伴って温冷風送風器１２４の内部に繊維屑等が入り込む場合があった。温冷風送風器１２４は、内部に繊維屑等が入り込むことを想定していないことも多く、温冷風送風器１２４における故障の要因の１つとなっていた。また、温冷風送風器１２４からの送風力が弱い場合、直ぐに、エアが通風路１１５の全体に充填されず、送風力が弱いことから、エアが逆流するということを引き起こしていた。よって、温冷風送風器１２４からの送風力が弱い場合においても、繊維屑がエアの逆流に伴って温冷風送風器１２４の内部に流入することがあった。市販されている温冷風送風器１２４のようなエア供給装置は、送風力が弱いものも多く、繊維屑の逆流によって装置の故障を引き起こすことや装置寿命を短縮させることが問題となっていた。
更に、布団繊維の屑、羽毛、真綿や合繊繊維等からなる保温材の屑（以下、これらを含めて「繊維屑」又は「繊維屑等」と称する）が通風路１１５の内部に拡散され、送風口１２５を温風布団１０１から取外したときに、エアに伴って布団外部に吹き出し、室内等に撒き散らされることがあった。繊維屑等には、多くのダニやその死骸が混入している場合があり、ダニによるアレルゲンが室内に拡散させる結果となっていた。
また、特許文献１の通風路１１５は、温風布団１０１の全面に設けられているものではなく、布団の端部に十分なエアを供給することができず、十分な乾燥や加温を行うことが困難であった。よって、温風布団１０１の端部における乾燥や殺ダニ等の効果が十分でなく、更に、温風布団１０１の全体に拡がってダニが繁殖する場合があった。
【０００７】
特許文献２に記載される従来の布団では、図１２の（１２Ｂ）に示すように、通風路２０４が布団の裏布に縫着される通風布２０３の全体に設けられるものではない。よって、供給されるエアは、直接、布団全体に通風路２０４から通風布２０３等を介して通気されるものではなく、上述の特許文献１に記載される（９Ａ）の通風路１１５と同様に、布団端部の十分な乾燥や加温を行うことが困難であった。更に、前述のように、温冷送風器２１０から供給されるエアは、送風口２０７を介して足部送風溜２４１から側部通風路２３４を流通し、更に、中間通風路２４４から中央送風溜２４５に流通する。従って、特許文献２の段落［００３４］には、温冷風送風器２１０からエアが送風されたとき、その圧力によって通風路２０４が膨張することが記載されている。このとき、前述のように、エアが送付口２０７の方向に逆流し、温冷風送風器２１０の内部に繊維屑等が入り込む場合があり、温冷風送風器２１０における故障の要因の１つとなっていた。更に、繊維屑等が通風路２０４の内部に拡散され、送風口２０７を通風路２０４から取外したとき、室内等に撒き散らされることがあった。繊維屑等には、アレルゲンを含むダニやその死骸が混入している場合が多かった。
【０００８】
従って、本発明は、エアを供給可能な通風路を有する布団において、通風路から逆流するエアに含まれる繊維屑が布団外部に放出されることを防止する布団を提供することを第１の目的とし、更に、布団全体に十分なエアを通気して乾燥、加温又は殺ダニ等を行うことができる布団を提供することを第２の目的とする。
【課題を解決するための手段】
【０００９】
本発明は、上記課題を解決するために提案されたものであって、本発明の第１の形態は、外部から布団内部に温風、常温風又は冷風のいずれか１種のエアを供給する通風口と、前記エアを前記布団内部に流通する通風路とを有する布団であり、前記通風口には、前記エアを通風させるフィルタ部と、前記布団から突出して外部のエア供給装置と連結する取付部と、前記フィルタ部と前記取付部の中間に前記取付部を収容可能な空間部を有する胴部とからなる通風口部材が配置され、前記フィルタ部は、前記エアを前記通風路へ通風でき、且つ、前記通風路から繊維屑を外部へ逆流することを遮断する布団である。
【００１０】
本発明の第２の形態は、第１の形態において、前記布団が掛け布団又は敷布団からなる布団である。
【００１１】
本発明の第３の形態は、第１又は第２の形態において、前記フィルタ部は、網目材、多孔質材、不織布及び織物の１つ以上の材料がフィルタとして設けられる布団である。
【００１２】
本発明の第４の形態は、第１、第２又は第３の形態において、前記取付部が前記胴部と連通し、前記胴部の取付部側周縁には、前記通気口に取付けられる開口周縁部が設けられ、前記開口周縁部は、その開口から前記取付部が出没自在に配置される布団である。
【００１３】
本発明の第５の形態は、第１〜第４のいずれかの形態において、前記フィルタ部は、フィルタが袋状に形成されたフィルタ状袋部からなり、前記フィルタ状袋部が前記胴部と連通する、又は、フィルタが筒状の送風路に配置されたフィルタ付筒状部材からなり、前記フィルタ付筒状部材が前記胴部と連通する布団である。
【００１４】
本発明の第６の形態は、第１〜第５のいずれかの形態において、前記取付部は、開口面積が変化する挿入口を有し、前記挿入口に前記エア供給装置の送風管が挿入される布団である。
【００１５】
本発明の第７の形態は、第６の形態において、前記挿入口が、伸縮自在の伸縮口からなる、又は、開閉部材により前記開口面積を変化させる開閉自在口からなる布団である。
【００１６】
本発明の第８の形態は、第７の形態において、前記伸縮口は、終端に向かって拡径するスカート部の始端が接続されて前記取付部を構成し、前記スカート部の終端が前記胴部に接続される布団である。
【００１７】
本発明の第９の形態は、第１〜第８のいずれかの形態において、前記エアの通風路が設けられる通風層と、外生地層及び保温材層から少なくとも構成され、層構造を有する布団である。
【００１８】
本発明の第１０の形態は、第９の形態において、前記外生地層が外生地と保温層又はクッション層からなる布団である。
【００１９】
本発明の第１１の形態は、第９又は第１０の形態において、前記保温材層が保温材を充填した布団本体からなり、前記通風層が通気性を有する中生地を介して前記布団本体の表面側又は裏面側に取付けられる布団である。
【００２０】
本発明の第１２の形態は、第１〜第１１のいずれかの形態において、前記胴部の一部又は全部がフィルタから形成される布団である。
【００２１】
本発明の第１３の形態は、第１〜第１２のいずれかの形態において、前記通風口が２個以上設けられ、各々の前記通風口に前記通風口部材が取付けられる布団である。
【００２２】
本発明の第１４の形態は、第１〜第１３のいずれかの形態において、前記布団に布団カバーが取付けられ、前記布団カバーのカバー開閉口を開口したとき、少なくとも１つの前記通風口は、前記カバー開閉口から露出して前記取出部を前記通風口部材から突出可能に配置される布団である。
【発明の効果】
【００２３】
本発明の第１の形態によれば、前記通風口には、前記エアを通風させるフィルタ部と、前記布団から突出して外部のエア供給装置と連結する取付部と、前記フィルタ部と前記取付部の中間に前記取付部を収容可能な空間部を有する胴部とからなる通風口部材が配置され、前記エアは、前記フィルタ部から前記通風路に通風され、前記通風路から繊維屑が外部に逆流することを遮断することができる。即ち、外部にある布団乾燥機等のエア供給装置にエアが逆流し、このエアに伴って流入する繊維屑が前記フィルタ部によって濾され、エア供給装置に繊維屑が流入することを遮断することができる。よって、繊維屑の流入を原因とするエア供給装置の送風力の低下や故障等を防止することができる。更に、前記フィルタ部によって繊維屑が遮断されるから、エア供給装置による送風圧力を増加させても良く、より確実に保温材が充填された布団本体に、十分なエアを供給することができ、且つ、短時間に布団の乾燥、加温、殺ダニ等を行うことができる。
また、前述のように、エア供給装置からの送風力が弱い場合においても、エアが逆流し易くなり、繊維屑がエア供給装置の内部に流入することがあったが、本発明に係るフィルタ部によって、エア供給装置に繊維屑が流入することを遮断することができる。
更に、前記取付部は、布団から突出させることができ、簡単に外部のエア供給装置に連結することができる。例えば、布団カバーによって布団を覆っている場合においても、前記取付部を突出させ、容易にエア供給装置に連結し、通風路にエアを送風することができる。また、前記取付部は、通風口部材における胴部の空間部に収納されるから、エア供給時以外は、布団の美観を損なうことがなく、且つ前記取付部の内部が塵埃等によって汚されることを抑制することができる。
【００２４】
本発明の第２の形態によれば、前記布団が掛け布団又は敷布団からなり、いづれの場合であっても、前記フィルタ部により、エアの逆流によって繊維屑がエア供給装置の内部や布団外部に拡散することを防止することができる。前記通風口部材は、布団の端部等に通風口が設けられ、通風口が形成されていれば、容易に取付けることができる。よって、掛け布団や敷布団に関わらず、前記通風口部材を取付け、前記フィルタ部を通気させて、エアを通風路に流通させ、布団の乾燥、加温、殺ダニ等を行うことができる。
【００２５】
本発明の第３の形態によれば、前記フィルタ部は、網目材、多孔質材、不織布及び織物の１つ以上の材料がフィルタとして設けられるから、繊維屑を布団の特性や価格に応じて、より高効率なフィルタを選択することができる。網目材は、合成繊維や天然繊維などが網目状に形成されたものであり、網目の大きさは、エア供給装置からのエアを通気し、且つ布団の繊維屑を遮断するものであれば良い。多孔質材には、スポンジ状に成形された合成樹脂材等が用いられ、ウレタンマット等の弾性を有するスポンジ状材料をフィルタとして用いても良い。不織布としては、キルト状や綿状の材料等をフィルタに用いることが可能である。更に、通気性を有し、且つ繊維屑を遮断することが可能な布地等の織物をフィルタとして用いることができる。
【００２６】
本発明の第４の形態によれば、前記取付部が前記胴部と連通し、前記胴部の取付部側周縁には、前記通気口に取付けられる開口周縁部が設けられ、前記開口周縁部は、その開口から前記取付部が出没自在に配置されるから、前記取付部を収納した後、前記開口周縁部又は前記通気口を閉じ、布団の外部に突出しないよう保持することができる。即ち、開口周縁部は、取付部胴部及びフィルタ部からなる通気口部材を、布団の通気口に取付けるため設けられ、更に、前記取付部を収納すること及び取出して布団から突出させる開口となることができる。前記開口周縁部は、前記胴部の取付部側周縁に連設されて前記通気口に取付け可能であれば良く、前記通気口と同程度の大きさを持つことが好ましく、輪状の布又は同程度の大きさを有する一対の布等から形成される。よって、前記開口周縁部又は前記通気口やその内面には、面ファスナや線ファスナ等の開閉部材が設けられ、前記取付部を容易に取出し、そして収納することができる。
【００２７】
本発明の第５の形態によれば、前記フィルタ部は、フィルタが袋状に形成されたフィルタ状袋部からなり、前記フィルタ状袋部が前記胴部と連通する場合、前記取付部を前記胴部だけでなく、前記フィルタ状袋部の内部にある空間部にも収納することができる。よって、前記取付部に対し、前記通風口部材の大きさをコンパクトにすることができる。更に、フィルタがフィルタ状袋部からなり、前記胴部と連通するから、構造が比較的簡単であると共に、フィルタ面積を容易に調整でき、供給されたエアを前記フィルタ部から円滑に通気させることができる。
また、前記フィルタ部は、前記フィルタが筒状の送風路に配置された前記フィルタ付筒状部からなり、前記フィルタ付筒状部が前記胴部と連通する場合、種々のフィルタを比較的簡単に取付けることができる。よって、布団の生地や保温材の材質等が異なる種々の布団に対し、好適なフィルタを前記筒状部の中間部及び／又は終端に設けることができる。
【００２８】
本発明の第６の形態によれば、前記取付部は、開口面積が変化する挿入口を有し、前記挿入口に前記エア供給装置の送風管が挿入されるから、前記開口面積を送風管の管径や形状に応じて変化させることができ、エアの漏れを抑制して、エア供給装置から供給されるエアを高効率に布団の通風路へ流通させることができる。
【００２９】
本発明の第７の形態によれば、前記挿入口が伸縮自在の伸縮口からなる場合、前記伸縮口を送風管の管径や形状に応じて伸縮させることができ、エア供給装置から供給されるエアを高効率に布団の通風路へ流通させることができる。前記伸縮口には、伸縮自在であれば、種々の部材を利用することができ、例えば、ゴム等の弾性材を用い、弾性材にギャザーを縫合して輪状にしたもの、または、弾性材を内包して輪状に形成されたギャザー等が用いられる。
第７の形態のもう１つの形態では、前記挿入口が開閉部材により前記開口面積を変化させる開閉自在口からなる場合であり、挿入口の開口面積を変化させる手段としては、面ファスナーや線ファスナー等を取付けることができる。
【００３０】
本発明の第８の形態によれば、前記伸縮口は、終端に向かって拡径するスカート部の始端が接続されて前記取付部を構成し、前記スカート部の終端が前記胴部に接続されるから、前記スカート部の始端は、前記伸縮口の伸縮に応じて、その径を自在に変化することができ、且つ、前記胴部に連通することができる。即ち、前記取付部は、ギャザースカートに類似する構造を有し、エア供給装置の送風管を伸縮口に取付け、高効率にエアを布団の通風路に供給することができる。
【００３１】
本発明の第９の形態によれば、前記エアの通風路が設けられる通風層と、外生地層及び保温材層から少なくとも構成され、層構造を有するから、布団の柔軟性や保温性を保持すると共に、エアの通風路を確保することができる。使用者に直接またはカバーやシーツを介して間接的に接触する外生地層が設けられ、外生地層が好適な柔軟性や質感を有することにより、使用者に不快感を与えることを防止することができ、保温材層の保温性や弾性により、快適な寝心地を提供することができる。即ち、保温材層が布団本体としての機能を有し、外生地層が通風路の確保と共に、好適な接触性と補助的な保温性を布団に付与することができる。
【００３２】
本発明の第１０の形態によれば、前記外生地層が外生地と保温層又はクッション層からなるから、前記外生地層により好適な柔軟性、弾性、保温性を付与することができる。即ち、外生地と保温材層の間に通風路を確保するだけでなく、より好適な柔軟性、弾力性、保温性等を布団に付与することができる。
【００３３】
本発明の第１１の形態によれば、前記保温材層が保温材を充填した布団本体からなり、前記通風層が通気性を有する中生地を介して前記布団本体の表面側又は裏面側に取付けられるから、比較的簡単な構造で布団の内部全体にエアを供給することができる。前記通風層は、前記布団本体の表面・裏面に対し、より大面積で一体に設けられることが好ましく、高効率にエアを布団の内部全体に供給することができる。
【００３４】
本発明の第１２の形態によれば、前記胴部の一部又は全部がフィルタから形成されるから、通気口部材におけるフィルタ面積を増大させることができる。または、前記胴部にもフィルタが形成されるため、フィルタ部の大きさを縮小し、通気口部材をコンパクトにすることができる。即ち、前記胴部には、フィルタと取付部の収容という２つの機能を付与することができる。
【００３５】
本発明の第１３の形態によれば、前記通風口が２個以上設けられ、各々の前記通風口に前記通風口部材が取付けられるから、使用し易い方の前記通風口から前記通風口部材を突出させ、この通風口部材の取付部にエア供給装置を接続し、布団にエアを供給することができる。例えば、エア供給装置と布団の位置関係や布団カバーの構造等に応じて、使用し易い通気口を使用することができる。
【００３６】
本発明の第１４の形態によれば、前記布団に布団カバーが取付けられ、前記布団カバーのカバー開閉口を開口したとき、少なくとも１つの前記通風口は、前記カバー開閉口から露出して前記取出部を前記通風口部材から突出可能に配置されるから、簡単に前記取出部を布団から突出させ、エア供給装置を接続して布団にエアを供給することができる。即ち、各メーカーが販売する布団カバーの構造に応じて、カバー開閉口の位置や大きさが異なっている場合が多いが、第１１の形態では、前記通風口が２つ以上設けられ、少なくとも１つの通風口が前記カバー開閉口を開口したときに露出する。よって、布団カバーを装着した状態で、布団の通風口から前記取付部を突出させることができ、簡単にエア供給装置を接続して布団にエアを供給することができる。
【図面の簡単な説明】
【００３７】
【図１】図１は、本発明に係る通風口部材の構成概略図である
【図２】図２は、本発明に係る取付部が収容状態にある通風口部材の構成概略図である。
【図３】図３は、本発明に係る通風口部材が取付けられた布団の裏面を示す構成概略図である。
【図４】図４は、本発明に係る布団の断面概略図である。
【図５】図５は、本発明に係る布団端部４１における通風口部材を示す拡大概略図である。
【図６】図６は、本発明に係る布団の通風口に取付けられた通風口部材の裏面拡大図である。
【図７】図７は、本発明に係る布団が布団カバーで覆われた状態を示す概略図である。
【図８】図８は、本発明に係る布団カバーで覆われた布団の他の実施形態を示す概略図である。
【図９】図９は、本発明に係る裏面側布団本体が設けられた布団を示す断面概略図である。
【図１０】図１０は、本発明の実施形態における通風層の構造を示す構成概略図である。
【図１１】図１１は、本発明に係る層構造を有する布団の概略図である。
【図１２】図１２は、従来のエア流通用通風路が設けられた布団の構成概略図である。
【発明を実施するための形態】
【００３８】
図１は、本発明に係る通風口部材１の構成概略図である。（１Ａ）は通風口部材１の正面概略図を示し、（１Ｂ）は上面概略図を示しており、（１Ａ）と（１Ｂ）に関し、以下に説明する。尚、（１Ａ）と（１Ｂ）において、同一部材には同一符号を付している。本発明に係る布団は、前述のように、エア供給装置（図示せず）と接続する通風口部材１が通風口に取付けられる。（１Ａ）に示すように、通風口部材１は、連通する取付部２と袋部３からなり、この袋部３は、胴部８とこの胴部８に連通するフィルタ部１０から構成されている。取付部２は、前述のように、エア供給装置の送風管と接続され、伸縮口４とスカート部６から構成されている。（１Ｂ）に示すように、後述の送風管は、伸縮口４に開口された送風管挿入口１６から挿入され、伸縮口４は伸縮自在の部材から形成され、送風管挿入口１６の開口面積を自在に拡大させることができる。（１Ａ）に示すように、スカート部６は、始端６ａから終端６ｂに拡径して、始端６ａが伸縮口４に連通されており、送風管挿入口１６の拡大に伴ってスカート部６の始端側も拡径する。即ち、取付部２は、ギャザースカートに類似の構造を有し、伸縮口４は、輪状のギャザー部材に弾性部材が内包されて形成されている。伸縮口４は、ギャザー部材にゴムのような弾性材を縫着して形成しても良く、種々の伸縮性部材を利用することが可能である。
【００３９】
図１の（１Ａ）、（１Ｂ）に示すように、袋部３の取付部側周縁１２には、輪状の開口周縁部７が設けられている。この開口周縁部７を布団に設けられた通風口の内側に取付けることによって、通風口部材１が布団に取付けられる。更に、（１Ｂ）に示すように、開口周縁部７は、その開口面１８に面ファスナーや線ファスナー等の開閉部材が設けられ、取付部２を袋部３の内部に収納して、開口面１８の開閉部材を閉じることにより、布団内に取付部１を収納することができ、詳細は後述する。逆に、エア供給装置を布団に取付ける場合には、（１Ａ）に示すように取付部２を開口周縁部７の開閉口１４から突出させる。前述のように、袋部３の胴部８は、その内部に取付部２を収容可能な空間部を有し、フィルタ部１０に連通されている。この実施例では、フィルタ部１０がフィルタが袋状に形成されたフィルタ状袋部からなり、袋部３は、胴部８にフィルタ部１０が連通されて袋状に形成されている。よって、胴部８だけでなく、フィルタ部１０の内部に形成される空間部まで取付部２を収容可能に形成されおり、フィルタ部１０の内部に取付部２の一部を収容することも可能である。また、胴部８の一部又は全部をフィルタから形成しても良く、フィルタの面積を増大させることが可能であり、エアの流量を増加させることができる。
【００４０】
図２は、本発明に係る取付部２が収容状態にある通風口部材１の構成概略図である。以下、同一部材には、図１と同一符号を付しており、一部を除き、詳細な説明は省略する。図１で説明した部材に関しては、（２Ａ）は、取付部２が収容状態にある通風口部材１の正面図であり、（２Ｂ）は、収容状態にある取付部２の概略図である。（２Ａ）に示すように、破線で示した取付部２は、胴部８の内部に収容されており、開口周縁部７の内面に設けられた開閉部材が閉じられて、開閉口１４が閉状態となる。取付部２のスカート部６は、柔軟性を有する布等からなり、取付部側周縁１２から胴部８の内部に折り返し、収納することができる。更に、上述のように、フィルタ部１０は袋状に形成されており、取付部２は、フィルタ部１０の内部まで達していも良い。（２Ｂ）は、収納状態にある取付部２を示しており、スカート部６は、（２Ａ）の袋部３の方に折り返され、胴部３に収容できるようコンパクトにまとめられている。（２Ｂ）では、伸縮口４が折り返されていないが、伸縮口４を胴部３の方に折り返しても良く、フィルタ部も袋状であるため、十分に収容可能である。
【００４１】
図３は、本発明に係る通風口部材１が取付けられた布団９の裏面を示す構成概略図である。布団９には通風口９ａが開口されており、この通風口９ａに通風口部材１が取付けられている。通風口９ａから通風口部材１の取付部２が突出し、伸縮口４にエア供給装置に接続される送風管２０の挿入部２０ｂが挿入されている。図示していないが、エア供給装置に送風管２０の露出部２０ａが接続されており、エア供給装置の送風管２０から供給されたエアは、フィルタ部１０を通気して、矢印で示した送風ａとして通風層端部５２に供給される。布団９は、後述する布団本体とその裏面側に設けられた通風層５１からなり、この通風層５１には通風路５０が設けられている。布団９の裏地４２と中生地に縫着される４つの仕切布４５ａと中央仕切布４５ｂが通風路５０に設けられており、通風層５０の大きさ以上に膨張せず、好適な形状を保持することができる。エアは、供給初期に矢印の方向に流通エアｂとして通風層５１の全体に流通する。エアが十分供給された時点において、通風層５１における一方の通風層端部５２から他方の通風層端部５２までエアが充填され、圧力により通風層５１が最大の大きさに膨らむ。殆どのエアは、後述のように、中生地を通気して布団本体に供給され、更に、一部のエアは、裏地４２を通気して外部に排出される。矢印で示した逆流ｃのエアが生じ、送風管２０の方向に逆流する。本発明に係る通風口部材１には、フィルタ部１０が設けられており、逆流ｃがフィルタ部１０を通気して外部に排出される。よって、逆流ｃに含まれる繊維屑が送風管２０を流通してエア供給装置に流入することが防止される。
【００４２】
図４は、本発明に係る布団９の断面概略図である。（４Ａ）は図３のＸ−Ｘ線断面図であり、（４Ｂ）は図３のＹ−Ｙ線断面図である。（４Ａ）に示すように、布団９は、布団本体４０と通風層５１からなり、布団端部４１の通風層５１に通風口部材１が取付けられ、矢印で示した送風ａとしてエアが通風路５０に流通する。前述のように、通風層５１に設けられる仕切布４５ａは、通風層５０の形状を保持するためのものであり、通気性を有する素材が用いられることが好ましい。布団本体４０は、表生地４４と中生地４６の間に保温材が充填され、保温材の偏り防止のために区画仕切布４９が設けられ、区画４８が形成されている。通風層５１は、前述のように、裏生地４２と中生地４６及びこれらの間に設けられた仕切布４５ａからなり、通風路５０が設けられている。通風路５０に供給されたエアは、中生地４６を通気して、矢印で示した供給エアｆとして各区画４８の内部に供給される。この供給エアｆによって、布団本体４０の乾燥や加温が行われる。一部のエアは、裏生地４２を通気して布団９の外部に矢印で示した排気ｇとして排出される。（４Ｂ）に示した図３のＹ−Ｙ線断面図では、（４Ａ）と同様に、布団９が布団本体４０と通風層５１からなり、この通風層５１の通風路５０を矢印で示した流通エアｂが流通している。布団本体４０の裏面側全面に通風層５１が設けられるから、布団本体４０の全体にエアを供給することができる。
【００４３】
図５は、本発明に係る布団端部４１における通風口部材１を示す拡大断面図である。（５Ａ）は、取付部２が突出状態にある通風口部材１が設けられた布団端部４１の断面図であり、（５Ｂ）は、取付部２が収納され通風口９ａが閉状態にある布団端部４１の断面図である。図４の説明で述べたように、（５Ａ）では、布団端部４１の通風口９ａに開口周縁部７が縫着され、通風口部材１が布団の通風口９ａに取付けられている。（５Ａ）に示すように、開口周縁部７と通風口９ａが共に開口して、取付部２が突出状態となり、送風管２０の挿入部２０ｂが挿入されている。よって、矢印で示したようにエアが送風され、矢印と反対方向に逆流するエアがフィルタ部１０を通気し、繊維屑等が送風管２０に流入することが遮断される。（５Ｂ）では、取付部２が胴部８に収容され、通風口９ａと開口周縁部７が閉状態となっている。前述のように、開口周縁部７の内面には、ファスナー等の開閉部材を設け、完全に通風口９ａを閉じることが可能である。よって、エア供給装置に接続しない場合には、取付部３が一切露出せず、布団の外観は通風路５０を有さないものと同様である。
【００４４】
図６は、本発明に係る布団の通風口９ａに取付けられた通風口部材１の裏面拡大図である。（６Ａ）は、布団に取付けられた通風口部材１の取付部２が突出状態にある場合の拡大図であり、（６Ｂ）は、前記通風口部材１の取付部２が収納状態にある場合の拡大図であり、各々が図５の（５Ａ）と（５Ｂ）を布団の裏生地４２の側から視たものである。（６Ａ）に示すように、通風口部材１の開口周縁部７が通風口９ａに縫着され、この開口周縁部７が開口して取付部２が突出している。取付部２には、送風管２０が挿入されて伸縮口４の弾性材により圧着されており、挿入部分からのエアの漏れが抑制される。（６Ｂ）では、取付部２が通風口部材１の胴部８に収容され、前述のように、開口周縁部７が開閉部材により閉じられている。また、フィルタ部１０も袋状の構造を有しており、取付部２がフィルタ部１０の内部に達し、収容されても良い。
【００４５】
図７は、本発明に係る布団９が布団カバー２２で覆われた状態を示す概略図である。図７において、布団カバー２２は、その断面が実線で示されており、一点破線でカバー開口部２４が示されている。布団９には、通風口９ａが２つ設けられ、１つの通風口９ａがカバー開口部２４を開口したときに露出する。よって、図７では、露出した通風口９ａから通風口部材１の取付部２を突出させ、送風管２０ａを取付けている。即ち、図７に示した布団９には、通風口９ａが２つ設けられ、少なくとも１つの通風口９ａがカバー開口部２４の開口時に露出するよう設計されている。各通風口９ａには、通風口部材１が設けられており、カバーの規格がことなった場合にも、少なくとも一方の通風口９ａが露出して取付部２０を突出させることができる。よって、例えば、矢印で示した温風ａａをエア供給装置から送風管２０に供給し、矢印の送風ａの方向に温風を流通させ、通風層５１の全体に温風からなるエアを供給することができる。約６０℃以上の温風を供給することにより、乾燥だけでなく、殺ダニの作用もあり、布団を快適な状態にすることが可能である。尚、通風口９ａは、２つ以上設けても良く、また反対側の布団端部に設けることもでき、各通風口９ａに通風口部材１を設ければ、より確実にカバー開口部２４を開口したとき、通風口９ａをカバー開口部２４から露出することができ、布団カバー２２を装着した状態でエア供給装置に接続することができる。
【００４６】
図８は、本発明に係る布団カバー２２で覆われた布団９の他の実施形態を示す概略図である。図８の実施形態では、図７と同様に、布団カバー２２が装着され、更に、２つの通風口９ａに各々の通風口部材１が設けられている。但し、この実施形態では、一方の通風口９ａは、他方に対し、布団９の対角側に設けられている。よって、カバー開口部２４が布団９の反対側にあるように布団カバー２２が装着されても、カバー開口部２４の開口時に、より確実に一方の通風口９ａを露出させ、図７に示したように、１つの通風口部材１から取付部２を突出させることができる。即ち、通風口９ａを２つ以上設け、各々に通風口部材１を取付けることにより、様々な規格の布団カバー２２や布団カバー２２を装着した向きが異なる場合においても、カバー開口部２４の開口時に、確実に通風口９ａを露出させることが可能である。通風口９ａの位置は、布団９の両側に限らず、頭側や足側の端部に設けてもよい。
【００４７】
図９は、本発明に係る裏面側布団本体６１が設けられた布団６０を示す断面概略図である。図９に示した実施形態の布団６０は、図４の（４Ａ）に示した布団９に対し、裏面側布団本体６１を設けたものである。布団６０では、通風層５１が上下２枚の中生地４６から形成され、裏生地６２とこの裏生地側の中生地４６から裏面側布団本体６１が形成されている。裏面側布団本体６１は、布団本体４０と同様に、綿や羽毛等の保温材が充填された区画６３が設けられ、これらは区画仕切布６４で仕切られている。即ち、図９の通風層５１は、布団本体４０と裏面側布団本体６１からなる２層の布団本体に挟まれて中間層を構成している。よって、通風層５１にエアを供給することにより、エアが中生地４６を通気して、布団本体４０と裏面側布団本体６１の内部にエアが供給される。この実施形態も、掛け布団や敷布団に用いられることができる。更に、中生地４６と表生地４４及び／又は裏生地６２に通気性の差を付与することによって、エアは布団本体４０や裏面側布団本体６１の内部に留まり易くなる。本発明に係る通風口部材１では、フィルタ部１０が設けられるから、エアが留まり、逆流成分が発生しても、繊維屑等が送風管２０を介してエア供給装置に流入することを防止することができる。
【００４８】
図１０は、本発明の実施形態における通風層５１の構造を示す構成概略図である。（１０Ａ）は、この実施形態の布団９における通風層５１の構成を示しており、通風口部材１は、通風層５１の側部中央に配置されている。即ち、送風ａは、側部中央から通風層５１の全体に通風方向ｂへと送風され、フィルタ部１０により逆流ｃに含まれる繊維屑が除去される。尚、縫製部４７が布団９の長手方向に設けられ、保温材や生地に縫合され、取付部２はエア供給装置に接続されていない状態を示している。取付部２がエア供給装置に接続される形態は、図３と同様である。（１０Ａ）の通風口部材１は、（１０Ｂ）に示すように、フィルタ部１０がメッシュ状のフィルタ１０ａと生地で形成された筒状部１０ｂから構成され、フィルタ部１０がフィルタ付筒状部から形成されている。（１０Ａ）に示すように、筒状部１０ｂは胴部８と連通し、筒状部１０ｂにより通風層５１の中央にエアを送風可能である。即ち、通風層５１の中央部又はその周辺からエアを全体に送風し、布団９の全体にエアを送ることができる。（１０Ｂ）のフィルタ１０ａを形成するメッシュ状の網目材は、合成繊維や天然繊維などが網目状に形成されたものであり、網目の大きさは、エア供給装置からのエアを通気し、且つ布団の繊維屑を遮断するものであれば良い。
また、（１０Ｃ）に示すよう、フィルタ部１０のフィルタ１０ａは、メッシュ状部材に限定されるものではなく、スポンジ状の部材等を用いることができ、筒状部１０ｂの終端にウレタン製の部材がフィルタ１０ａとして配置されている。更に、フィルタとして、布状や不織布等を用いても良く、キルト状や綿状の材料等をフィルタに用いることも可能である。
【００４９】
図１１は、本発明に係る層構造を有する布団９の概略図である。（１１Ａ）〜（１１Ｃ）に示す布団９の層構造では、表生地４４と保温層又はクッション層５２ａからなる外生地層５４と裏生地４２と保温層又はクッション層５２ｂからなる外生地層５５の間に、クッション層５３と一点破線で示した通風層５１が設けられている。（１１Ａ）では、表生地４４の側に通風層５１が設けられ、（１１Ｂ）では、裏生地４２の側に通風層５１が設けられている。クッション層５３は、弾性を有し、クッション層５３には固わた、ウレタンなどが用いられる。
（１１Ｃ）は、クッション層５３と外生地層５４、５５の間にある空間とクッション層５３が通風層５１の機能を有し、クッション層５３が通気性の良い部材からなることから、外生地層５４、５５の間に有るクッション層５３を含む中間層が通風層５１として用いられる。
尚、図１１の実施形態では、クッション層５３を挿入せずに層構造を構成しても良く、また、保温層又はクッション層５２ａと保温層又はクッション層５２ｂの間に生地を挿入することができ、布団をキルト状に形成することができる。
【産業上の利用可能性】
【００５０】
本発明によれば、エアを供給可能な通風路を有する布団において、通風路から逆流するエアに含まれる繊維屑が布団外部に放出されることを遮断する布団を提供することができ、更に、布団全体に十分なエアを通気して乾燥、加温又は殺ダニ等を行うことができる。本発明に係る通風口部材はフィルタ部を有し、このフィルタ部によって繊維屑が遮断されるから、エア供給装置による送風圧力を増加させても良く、より確実に保温材が充填された布団本体に、十分なエアを供給することができ、且つ、短時間に布団の乾燥、加温及び殺ダニ等を行うことができる。また、前記通風口部材は、敷布団又は掛け布団のいずれにも取付けることが可能である。更に、前記通風口部材の取付部は、布団から突出させることができ、簡単に外部のエア供給装置に連結することができる。例えば、布団カバーによって布団を覆っている場合においても、前記取付部を突出させ、容易にエア供給装置に連結し、通風路にエアを送風することができる。また、前記取付部は、通風口部材における胴部の空間部に収納されるから、エア供給時以外は、布団の美観を損なうことがなく、且つ前記取付部の内部が塵埃等によって汚されることを抑制することができる。
【符号の説明】
【００５１】
１        通風口部材
２        取付部
３        袋部
４        伸縮口
５        通風口部材
６        スカート部
６ａ      始端
６ｂ      終端
７        開口周縁部
８        胴部
９        布団
９ａ      通風口
１０      フィルタ部
１０ａ    フィルタ
１０ｂ    筒状部
１１      排気口部材
１２      取付部側周縁
１４      開閉口
１６      送風管挿入口
１８      開閉面
２０      送風管
２０ａ    露出部
２０ｂ    挿入部
２２      布団カバー
２４      カバー開口部
２６      カバー端部
２８      突出部
４０      布団本体
４１      布団端部
４２      裏生地
４４      表生地
４５ａ    仕切布
４５ｂ    中央仕切布
４６      中生地
４８      区画
４７      縫合部
４９      区画仕切布
５０      通風路
５１      通風層
５２ａ    保温層又はクッション層
５２ｂ    保温層又はクッション層
５３      保温材層
５４      外生地層
５５      外生地層
５７      通風層端部
６０      布団
６１      裏面側布団本体
６２      裏生地
６３      区画
６４      区画仕切布
１０１    温風布団
１０２    表生地
１０３    裏生地
１０４    中生地
１０５    床
１１５    通風路
１１８    空間
１１９    線ファスナ
１２４    温冷送風器
１２５    送風口
２０３    通風布
２０４    通風路
２０７    送風口
２１０    温冷送風器
２４１    足部送風溜
２４３    側部通風路
２４４    中間通風路
２４５    中央送風溜
ａ        送風
ａａ      温風
ｂ        通風方向
ｃ        逆流
【図１】
2013244274.tif 000003
【図２】
2013244274.tif 000004
【図３】
2013244274.tif 000005
【図４】
2013244274.tif 000006
【図５】
2013244274.tif 000007
【図６】
2013244274.tif 000008
【図７】
2013244274.tif 000009
【図８】
2013244274.tif 000010
【図９】
2013244274.tif 000011
【図１０】
2013244274.tif 000012
【図１１】
2013244274.tif 000013
【図１２】
2013244274.tif 000014